(57)【要約】【課題】操作子が動作したことを容易に知ることのできるソフトキーとする。【解決手段】柔軟なキーカバー２１の内面に形成されている上部電極２２ａの部位が押されて、下部基板２３に形成されている下部電極２２ｂに接触すると、このことが検出されて振動子２５が一定時間駆動されるようになる。これにより、その操作子が操作されたことを確実に知ることができるようになる。【選択図】  図３
2004274437.tif 000002
【特許請求の範囲】
【請求項１】
少なくとも表示器と複数の操作スイッチとが一面に設けられていると共に、携帯電話機能回路が内蔵されているケースを備える携帯電話機であって、
前記複数の操作スイッチは動作ストロークの小さいあるいは動作ストロークのないソフトキーにより構成されており、いずれかの前記操作スイッチが操作された際に、前記ケース内に内蔵されている振動子を一定時間駆動させるようにしたことを特徴とする携帯電話機。
【請求項２】
第１ケース部と第２ケース部との端部同士が回転可能に固着されて折り畳み可能とされているケースにおける、一方のケース部の一面に表示器が設けられ、他方のケース部の一面に複数の操作スイッチが設けられている携帯電話機であって、
前記複数の操作スイッチは動作ストロークの小さいあるいは動作ストロークのないソフトキーにより構成されており、いずれかの前記操作スイッチが操作された際に、前記ケース内に内蔵されている振動子を一定時間駆動させるようにしたことを特徴とする携帯電話機。
【請求項３】
着信したことを通知するバイブレータが前記ケース内に内蔵されており、
前記バイブレータにより前記振動子が兼用されていることを特徴とする請求項１あるいは２記載の携帯電話機。
【発明の詳細な説明】
【０００１】
【発明の属する技術分野】
本発明は、操作子がソフトキーで構成されている携帯電話機に関する。
【０００２】
【従来の技術】
従来の携帯電話機において、音声通話の送受信の操作やメールの送受信の操作をはじめとする、携帯電話機能の操作は携帯電話機のケースの前面に設けられている複数の操作子を操作することにより行っている。この操作子は、数字やかなが記名されたテンキーや十字キー等とされている。
【０００３】
【発明が解決しようとする課題】
従来の携帯電話においては、操作子としてほとんど動作ストロークのないソフトキーを設けることがあった。しかしながら、ソフトキーは動作ストロークがほとんどないことから、操作子を押した際に操作子が動作したのか否かがわかりにくいという問題点があった。
【０００４】
そこで、本発明は、操作子が動作したことを容易に知ることのできるソフトキーを備える携帯電話機を提供することを目的としている。
【０００５】
【課題を解決するための手段】
上記目的を達成するために、本発明の携帯電話機は、少なくとも表示器と複数の操作スイッチとが一面に設けられていると共に、携帯電話機能回路が内蔵されているケースを備える携帯電話機であって、前記複数の操作スイッチは動作ストロークの小さいあるいは動作ストロークのないソフトキーにより構成されており、いずれかの前記操作スイッチが操作された際に、前記ケース内に内蔵されている振動子を一定時間駆動させるようにしている。
【０００６】
また、上記目的を達成することのできる本発明の他の携帯電話機は、第１ケース部と第２ケース部との端部同士が回転可能に固着されて折り畳み可能とされているケースにおける、一方のケース部の一面に表示器が設けられ、他方のケース部の一面に複数の操作スイッチが設けられている携帯電話機であって、前記複数の操作スイッチは動作ストロークの小さいあるいは動作ストロークのないソフトキーにより構成されており、いずれかの前記操作スイッチが操作された際に、前記ケース内に内蔵されている振動子を一定時間駆動させるようにしている。
さらに、上記本発明の携帯電話機において、着信したことを通知するバイブレータが前記ケース内に内蔵されており、前記バイブレータにより前記振動子が兼用されていてもよい。
【０００７】
このような本発明によれば、動作ストロークの小さいあるいは動作ストロークのないソフトキーからなる操作子を操作した際に、操作子が動作することに伴い振動子が振動することから、操作子が操作されたことをユーザに確実に知らせることができるようになる。
また、着信したことを通知するバイブレータにより振動子を兼ねるようにすれば、部品点数を増加することなく操作子が操作されたことをユーザに確実に知らせることができるようになる。
【０００８】
【発明の実施の形態】
本発明の実施の形態における携帯電話機のおもて側の構成を示す斜視図を図１に示す。
図１に示す本発明の携帯電話機１は、第１ケース部２と第２ケース部３とを備えている。そして、第１ケース部２と第２ケース部３との端部同士はヒンジ部４を介して回転可能に固着されていることにより、第１ケース部２と第２ケース部３とは折り畳み可能とされている。第１ケース部２における折り畳んだ際に合い向かう面とされるおもて面には、ソフトキー２ａからなるダイヤルボタンやメニューの選択ボタン等の複数の操作子がほぼ中央に設けられ、マイクが内蔵されている送話口２ｂが下部に設けられている。また、第２ケース部３における折り畳んだ際に合い向かう面とされるおもて面には、液晶表示器等からなる各種情報やテキストが表示可能とされている表示部３ａがほぼ中央に設けられ、スピーカが内蔵されている受話口３ｂが上部に設けられている。
【０００９】
ヒンジ部４により、折り畳んだ状態から第１ケース部２と第２ケース部３とを図１に示すように開くことができるようにされている。図１に示すように第２ケース部３を第１ケース部２に対して開くと、発呼や着信時にソフトキー２ａを操作するに適するようになると共に、メールの受信や送信の操作時およびインターネット等のネットワーク接続操作時等にソフトキー２ａを操作するに適するようになる。さらに、図１に示すように第２ケース部３を第１ケース部２に対して開くと、第２ケース部３の上部に設けられている受話口３ｂを耳に当てられると共に、第１ケース部２の下部に設けられている送話口２ｂを口に当てるに適するようになり、通話を行うに適する状態とすることができる。なお、第２ケース部３には内蔵アンテナが内蔵されているが、リトラクタブルなホイップアンテナからなる外部アンテナを第２ケース部３に設けるようにしてもよい。
【００１０】
ここで、ソフトキー２ａの構成の一例を断面図で図３に示す。図３に示すように、ソフトキー２ａは操作する部分が若干凸状とされている。このソフトキー２ａはガラス基板等の硬質な下部基板２３上に形成されている下部電極２２ｂと、柔軟なＰＥＴ（Ｐｏｌｙｅｔｈｙｌｅｎｅｔｅｒｅｐｈｔｈａｌａｔｅ）等の透明な合成樹脂製のキーカバー２１の内面に形成されている上部電極２２ａとを備えている。この上部電極２２ａと下部電極２２ｂとはマトリクス状に形成されている。さらに、合い向かうように設けられている上部電極２２ａと下部電極２２ｂとが操作されずに接触することを防止する絶縁性のスペーサ２４が、キーカバー２１と下部基板２３とを離隔するようにその間に設けられている。キーカバー２１と下部基板２３とは水密に封止されている。さらにまた、下部基板２３には振動子２５が設けられている。ここで、上部電極２２ａが形成されているキーカバー２１の部位を図３に図示する矢印の方向に押すと、上部電極２２ａと下部電極２２ｂとが接触するようになる。しかし、キーカバー２１の上から押して上部電極２２ａを下部電極２２ｂに接触させても、ソフトキー２ａのストロークが小さいと共にクリック感もないことから、接触した感じを得ることが困難となる。そこで、これを検知した図示しない携帯電話機能回路は、オンした操作子に対応する操作処理を行うと共に振動子２５を一定時間駆動させる。これにより、ストロークの小さいソフトキー２ａのいずれかの操作子を操作した際でも、ユーザは操作した操作子がオンしたことを確実に知ることができるようになる。この振動子２５に替えて、着信を通知するために携帯電話機１に内蔵されている図示しないバイブレータを用いるようにしても良い。
【００１１】
次に、ソフトキー２ａの構成の他の例を図４に示す。図４に示すソフトキー２ａは、表面がほぼ平面状とされているソフトキーとされている。ソフトキー２ａはガラス基板等の硬質な下部基板３３上に形成されている下部電極３２ｂと、柔軟なＰＥＴ（Ｐｏｌｙｅｔｈｙｌｅｎｅｔｅｒｅｐｈｔｈａｌａｔｅ）等の平らな合成樹脂製のキーカバー３１の内面に形成されている上部電極３２ａとを備えている。この上部電極３２ａと下部電極３２ｂとはマトリクス状に形成されている。さらに、合い向かうように設けられている上部電極３２ａと下部電極３２ｂとが操作されずに接触することを防止する絶縁性のスペーサ３４が、キーカバー３１と下部基板３３とを離隔するようにその間に設けられている。キーカバー３１と下部基板３３とは水密に封止されている。さらにまた、下部基板３３には振動子２５が設けられている。ここで、上部電極３２ａが形成されているキーカバー３１の部位を図４に図示する矢印の方向に押すと、上部電極３２ａと下部電極３２ｂとが接触するようになる。しかし、キーカバー３１の上から押して上部電極３２ａを下部電極３２ｂに接触させても、ソフトキー２ａのストロークが小さいと共にクリック感もないことから、接触した感じを得ることが困難となる。そこで、これを検知した図示しない携帯電話機能回路は、オンした操作子に対応する操作処理を行うと共に振動子２５を一定時間駆動させる。これにより、ストロークの小さいソフトキー２ａを操作した際でも、ユーザは操作した操作子がオンしたことを確実に知ることができるようになる。この振動子２５に替えて、着信を通知するために携帯電話機１に内蔵されている図示しないバイブレータを用いるようにしても良い。
【００１２】
次に、ソフトキー２ａの構成のさらに他の例を図５に示す。図５に示すソフトキー２ａは、表面がほぼ平面状とされている静電容量の変化を検出するソフトキーとされている。ソフトキー２ａはガラス基板等の硬質な上部基板４１を備えており、上部基板４１の内面上に略円形の第１電極４２ａと、この第１電極４２ａの周囲にほぼ同心とされているリング状の第２電極４２ｂとが形成されている。また、下部基板４３には振動子２５が設けられており、上部基板４１と下部基板４３とを所定間隔で離隔するスペーサ４４がその間に設けられている。ここで、第１電極４２ａに対向する上部基板４１上に触れると、第１電極４２ａと第２電極４２ｂにより形成されている静電容量の値が変化する。これを検知した図示しない携帯電話機能回路は、触れられた電極に対応する操作子がオンされたと検出する。しかし、第１電極４２ａ上の上部基板４１の上に触れても、ソフトキー２ａのストロークがないと共にクリック感もないことから、オンした感じを得ることが困難となる。そこで、オンしたことを検知した携帯電話機能回路は、オンされた操作子に対応する操作処理を行うと共に振動子２５を一定時間駆動させる。これにより、ストロークのないソフトキー２ａを操作した際でも、ユーザは操作子がオンしたことを確実に知ることができるようになる。この振動子２５に替えて、着信を通知するために携帯電話機１に内蔵されている図示しないバイブレータを用いるようにしても良い。また、上部基板４１は柔軟な材質の合成樹脂製としても良い。
【００１３】
なお、図３ないし図５に示すソフトキー２ａにおいては、複数の操作子の全面がキーカバー２１，３１あるいは上部基板４１により水密に覆われているため、塵埃が入り込まず塵埃による影響を受けないと共に、防水性となることから雨水にも強くなる。そして、図３ないし図５に示すソフトキー２ａにおいて、上部電極２２ａ，３２ａあるいは第１電極４２ａが形成されているキーカバー２１，３１あるいは上部基板４１のおもて面には、これらの電極に対応して数字やかなが表記されて操作する位置が示されている。なお、キーカバー２１，３１あるいは上部基板４１は透明にすることができるが、着色したり模様を描くこともできるようになる。
【００１４】
次に、本発明の実施の形態における他の携帯電話機のおもて側の構成を示す斜視図を図２に示す。
図２に示す本発明の携帯電話機１０は、携帯機能回路が内蔵されているケース部１１を備えており、ケース部１１のおもて面にはソフトキー１１ａからなるダイヤルボタンやメニューの選択ボタン等の複数の操作子がほぼ中央から下部に向かって設けられている。また、マイクが内蔵されている送話口１１ｂがソフトキー１１ａの下部に設けられている。さらに、液晶表示器等からなる各種情報やテキストが表示可能とされている表示部１３ａがほぼ中央から上部に向かって設けられており、スピーカが内蔵されている受話口１３ｂが表示部１３ａの上部に設けられている。そして、ケース部１１の上面にはリトラクタブルなホイップアンテナからなるアンテナ部１２が設けられている。
【００１５】
図２に示す本発明にかかる携帯電話機１０におけるソフトキー１１ａは、図３ないし図５に示すソフトキー２ａと同様のソフトキーとすることができ、ソフトキー１１ａの内のいずれかの操作子が操作された際に携帯電話機１０に内蔵されている振動子２５が一定時間振動するようになることから、ストロークの小さいあるいはストロークのないソフトキー１１ａのいずれかの操作子を操作した際でも、ユーザが確実に操作子が操作されたことを知ることができるようになる。また、ソフトキー１１ａの複数の操作子の全面がキーカバーあるいは上部基板により覆われるようになるため、塵埃が入り込まず塵埃による影響を受けないと共に、防水性となることから雨水にも強くすることができる。また、ソフトキー１１ａにおける操作する部位には、数字やかなが表記されて操作する位置が示されている。なお、ソフトキー１１ａのおもて面は透明にすることができるが、着色したり模様を描くこともできる。
【００１６】
以上説明した本発明にかかる携帯電話機において、ソフトキーとして抵抗膜式タッチパネル等のタッチパネルを用いるようにしてもよい。なお、本発明の携帯電話機におけるソフトキーが有する上部電極、下部電極あるいは第１電極、第２電極は、例えば蒸着やスパッタリングによりキーカバー、下部基板あるいは上部基板に形成することができる。
【００１７】
【発明の効果】
以上説明したように、本発明の携帯電話機は、動作ストロークの小さいあるいは動作ストロークのないソフトキーからなる操作子を操作した際に、操作子が動作することに伴い振動子が振動することから、操作子が操作されたことをユーザに確実に知らせることができるようになる。
また、着信したことを通知するバイブレータにより振動子を兼ねるようにすれば、部品点数を増加することなく操作子が操作されたことをユーザに確実に知らせることができるようになる。
【図面の簡単な説明】
【図１】本発明の実施の形態における携帯電話機のおもて側の構成を示す斜視図である。
【図２】本発明の実施の形態における他の携帯電話機のおもて側の構成を示す斜視図である。
【図３】本発明の実施の形態における携帯電話機におけるソフトキーの構成の一例を示す断面図である。
【図４】本発明の実施の形態における携帯電話機におけるソフトキーの構成の他の例を示す断面図である。
【図５】本発明の実施の形態における携帯電話機におけるソフトキーの構成のさらに他の例を示す断面図である。
【符号の説明】
１  携帯電話機、２  第１ケース部、２ａ  ソフトキー、２ｂ  送話口、３  第２ケース部、３ａ  表示部、３ｂ  受話口、４  ヒンジ部、１０  携帯電話機、１１  ケース部、１１ａ  ソフトキー、１１ｂ  送話口、１２  アンテナ部、１３ａ  表示部、１３ｂ  受話口、２１  キーカバー、２２ａ  上部電極、２２ｂ下部電極、２３  下部基板、２４  スペーサ、２５  振動子、３１  キーカバー、３２ａ  上部電極、３２ｂ  下部電極、３３  下部基板、３４  スペーサ、４１  上部基板、４２ａ  第１電極、４２ｂ  第２電極、４３  下部基板
【図１】
2004274437.tif 000003
【図２】
2004274437.tif 000004
【図３】
2004274437.tif 000005
【図４】
2004274437.tif 000006
【図５】
2004274437.tif 000007